(57)【要約】【課題】蓄電装置の温度調節を効率良く行うことができ、且つ蓄電装置の設置場所を特定場所に限定せず、当該蓄電装置のメンテナンス性の低下を防止することができる蓄電装置温度調節システムを提供する。【解決手段】住宅１００で利用される電力を充放電可能な蓄電装置４０と、建築物１００内にて除湿水を生成する除湿装置２１０と、除湿装置２１０により除湿された除湿水を所定経路で循環させる除湿水循環装置２２０と、を設けて、除湿水循環装置２２０は、除湿装置２１０により除湿された除湿水を、前記所定経路として建築物１００内に設置された冷蔵庫５２に循環させ、冷蔵庫５２の排熱により前記除湿水の温度を上昇させて、前記温度が高められた除湿水を、前記所定経路として前記蓄電装置４０に循環させ、前記温度が高められた除湿水により前記蓄電装置４０の温度を上昇させる。【選択図】図４
2013251120.tif 000002
【特許請求の範囲】
【請求項１】
建築物で利用される電力を充放電可能な蓄電装置と、
前記建築物内にて結露水を生成する結露水生成手段と、
前記結露水生成手段により生成された結露水を所定経路で循環させる結露水循環装置と、を設けて、
前記結露水循環装置は、
前記結露水生成手段により生成された結露水を、前記所定経路として前記建築物内に設置された所定機器に循環させ、前記所定機器の排熱により前記結露水の温度を上昇させて、
前記温度が高められた結露水を、前記所定経路として前記蓄電装置に循環させ、前記温度が高められた結露水により前記蓄電装置の温度を上昇させる、
ことを特徴とする蓄電装置温度調節システム。
【請求項２】
建築物で利用される電力を充放電可能な蓄電装置と、
前記建築物内にて結露水を生成する結露水生成手段と、
前記結露水生成手段により生成された結露水を所定経路で循環させる結露水循環装置と、を設けて、
前記結露水循環装置は、
前記結露水生成手段により生成された結露水を、前記所定経路として前記蓄電装置に循環させ、前記結露水により前記蓄電装置の温度を下降させる、
ことを特徴とする蓄電装置温度調節システム。
【請求項３】
建築物で利用される電力を充放電可能な蓄電装置と、
前記建築物内にて結露水を生成する結露水生成手段と、
前記結露水生成手段により生成された結露水を複数の所定経路のうち１つの所定経路で循環させる結露水循環装置と、
予め設定された条件に応じて前記複数の所定経路から１つの所定経路を選択する経路選択手段と、を設けて、
前記結露水循環装置は、
前記経路選択手段により前記複数の所定経路から選択された１つの所定経路が第一所定経路である場合に、
前記結露水生成手段により生成された結露水を、前記第一所定経路として前記建築物内に設置された所定機器に循環させ、前記所定機器の排熱により前記結露水の温度を上昇させて、
前記温度が高められた結露水を、前記第一所定経路として前記蓄電装置に循環させ、前記温度が高められた結露水により前記蓄電装置の温度を上昇させ、
前記結露水循環装置は、
前記経路選択手段により前記複数の所定経路から選択された１つの所定経路が第二所定経路である場合に、
前記結露水生成手段により生成された結露水を、前記第二所定経路として前記蓄電装置に循環させ、前記結露水により前記蓄電装置の温度を下降させる、
ことを特徴とする蓄電装置温度調節システム。
【請求項４】
前記結露水循環装置により循環された結露水を貯水可能な貯水部を設ける、
ことを特徴とする請求項１から請求項３までのいずれか一項に記載の蓄電装置温度調節システム。
【発明の詳細な説明】
【技術分野】
【０００１】
本発明は、建築物で利用される電力を充放電可能な蓄電装置の温度調節を行う蓄電装置温度調節システムの技術に関する。
【背景技術】
【０００２】
従来、建築物で利用される電力を充放電可能な蓄電装置において、当該蓄電装置の充放電の効率の向上や寿命の向上を図るため、温度調節を行う技術は公知となっている。例えば、特許文献１に記載の如くである。
【０００３】
特許文献１に記載の技術において、蓄電装置は建築物の床下に設置される。これによって、外気の温度変化による蓄電装置周囲の温度環境の変化を抑制し、ひいては当該蓄電装置の温度を一定に保つように（当該蓄電装置の温度を調節するように）構成される。
【０００４】
しかしながら、特許文献１に記載の技術は、蓄電装置を特定場所（建築物の床下）に設置することのみによって当該蓄電装置の温度を調節するものであり、温度調節の効率が良くないという問題点がある。また、前記特定場所として、蓄電装置が建築物の床下に設置された場合には、当該蓄電装置のメンテナンス性が低下するという問題点がある。
【先行技術文献】
【特許文献】
【０００５】
【特許文献１】特開２０１０−１６３７４４号公報
【発明の概要】
【発明が解決しようとする課題】
【０００６】
本発明は以上の如き状況に鑑みてなされたものであり、その解決しようとする課題は、蓄電装置の温度調節を効率良く行うことができ、且つ蓄電装置の設置場所を特定場所に限定せず、当該蓄電装置のメンテナンス性の低下を防止することができる蓄電装置温度調節システムを提供することである。
【課題を解決するための手段】
【０００７】
本発明の解決しようとする課題は以上の如くであり、次にこの課題を解決するための手段を説明する。
【０００８】
即ち、請求項１においては、建築物で利用される電力を充放電可能な蓄電装置と、前記建築物内にて結露水を生成する結露水生成手段と、前記結露水生成手段により生成された結露水を所定経路で循環させる結露水循環装置と、を設けて、前記結露水循環装置は、前記結露水生成手段により生成された結露水を、前記所定経路として前記建築物内に設置された所定機器に循環させ、前記所定機器の排熱により前記結露水の温度を上昇させて、前記温度が高められた結露水を、前記所定経路として前記蓄電装置に循環させ、前記温度が高められた結露水により前記蓄電装置の温度を上昇させることを特徴とするものである。
【０００９】
請求項２においては、建築物で利用される電力を充放電可能な蓄電装置と、前記建築物内にて結露水を生成する結露水生成手段と、前記結露水生成手段により生成された結露水を所定経路で循環させる結露水循環装置と、を設けて、前記結露水循環装置は、前記結露水生成手段により生成された結露水を、前記所定経路として前記蓄電装置に循環させ、前記結露水により前記蓄電装置の温度を下降させることを特徴とするものである。
【００１０】
請求項３においては、建築物で利用される電力を充放電可能な蓄電装置と、前記建築物内にて結露水を生成する結露水生成手段と、前記結露水生成手段により生成された結露水を複数の所定経路のうち１つの所定経路で循環させる結露水循環装置と、予め設定された条件に応じて前記複数の所定経路から１つの所定経路を選択する経路選択手段と、を設けて、前記結露水循環装置は、前記経路選択手段により前記複数の所定経路から選択された１つの所定経路が第一所定経路である場合に、前記結露水生成手段により生成された結露水を、前記第一所定経路として前記建築物内に設置された所定機器に循環させ、前記所定機器の排熱により前記結露水の温度を上昇させて、前記温度が高められた結露水を、前記第一所定経路として前記蓄電装置に循環させ、前記温度が高められた結露水により前記蓄電装置の温度を上昇させ、前記結露水循環装置は、前記経路選択手段により前記複数の所定経路から選択された１つの所定経路が第二所定経路である場合に、前記結露水生成手段により生成された結露水を、前記第二所定経路として前記蓄電装置に循環させ、前記結露水により前記蓄電装置の温度を下降させることを特徴とするものである。
【００１１】
請求項４においては、前記結露水循環装置により循環された結露水を貯水可能な貯水部を設けることを特徴とするものである。
【発明の効果】
【００１２】
本発明の効果として、以下に示すような効果を奏する。
【００１３】
本発明においては、蓄電装置の温度調節を効率良く行うことができ、且つ蓄電装置の設置場所を特定場所に限定せず、当該蓄電装置のメンテナンス性の低下を防止することができる。
【図面の簡単な説明】
【００１４】
【図１】本発明の一実施形態に係る蓄電装置温度調節システムを具備する住宅の１階部分を示した平面図。
【図２】住宅が具備する電力供給システムを示したブロック図。
【図３】第一実施形態に係る蓄電装置温度調節システムの構成を示すシステム図。
【図４】（ａ）第一流路切替弁及び第二流路切替弁が第一状態である場合の流路切替部の構成を示す図。（ｂ）第一流路切替弁及び第二流路切替弁が第二状態である場合の流路切替部の構成を示す図。
【図５】冬場における蓄電装置温度調節システムの概略（第一循環経路）を示す図。
【図６】夏場における蓄電装置温度調節システムの概略（第二循環経路）を示す図。
【図７】第一実施形態に係る蓄電装置温度調節システムにエアコンを加えた構成を示すシステム図。
【図８】冬場における蓄電装置温度調節システムにエアコンを加えた概略（第一循環経路）を示す図。
【図９】第二実施形態に係る蓄電装置温度調節システムの構成を示すシステム図。
【発明を実施するための形態】
【００１５】
まず、図１を用いて、本発明に係る蓄電装置温度調節システムの一実施形態（第一実施形態）に係る蓄電装置温度調節システム２００を具備する住宅１００（１階部分のみ）の全体構成について説明する。なお、住宅１００は、本発明に係る建築物の一実施形態である。本発明は住宅に適用されるものに限らず、オフィスビル、駅舎、ホテル等の種々の建築物に広く適用することが可能である。
【００１６】
住宅１００の１階には、玄関１０１、玄関ホール１０２、廊下１０３、トイレ１０４、折り返し階段１０５、階段下収納１０６、デッキ１０７、車庫１０８、及びリビング１０９が配置される。
【００１７】
住宅１００の北東部分には玄関１０１が配置され、当該玄関１０１の南西側には玄関ホール１０２が配置される。玄関ホール１０２の西側には、西方向に向かって廊下１０３が延設される。廊下１０３の北側には、東から西に向かって順にトイレ１０４及び折り返し階段１０５が住宅１００の外壁１００ａに沿うように配置される。廊下１０３の西側には、リビング１０９が配置される。また、折り返し階段１０５の下方には階段下収納１０６が配置される。
【００１８】
階段下収納１０６内には、蓄電装置収納室１１０が配置され、さらに当該蓄電装置収納室１１０内には、後述する蓄電装置４０が配置される。
【００１９】
廊下１０３の西側であってリビング１０９の南側（住宅１００の南西部分）には、デッキ１０７が配置される。デッキ１０７の東側（住宅１００の南東部分）には、車庫１０８が配置される。
【００２０】
次に、図２を用いて、住宅１００が具備する電力供給システム１について説明する。
【００２１】
電力供給システム１は、住宅等に設けられ、商用電源９０からの電力及び自然エネルギーにより発電された電力を特定の負荷へと供給するものである。電力供給システム１は、主として発電部１０、パワーコンディショナ２０、分電盤３０、蓄電装置４０、負荷５０（特定の負荷）、その他の負荷８０、ホームサーバ６０及び携帯型端末７０等を具備する。
【００２２】
発電部１０は、太陽光を利用して発電する装置であり、太陽電池パネル等により構成される。発電部１０は、例えば、住宅の屋根の上に設置される。
【００２３】
パワーコンディショナ２０は、発電部１０において発電された直流電力を交流電力に変換し、商用電源９０の電圧、周波数、位相に合わせる機能を有するものである。パワーコンディショナ２０は、発電部１０に接続される。
パワーコンディショナ２０には、停電時（商用電源９０からの電力が供給不能な場合）における「自立運転モード」のＯＮとＯＦＦとを切り換えるための運転切換スイッチ２０ａが設けられる。
また、パワーコンディショナ２０には、停電時（非常時）において発電部１０からの電力を取り出すための非常用コンセント２１が接続される。
【００２４】
分電盤３０は、漏電遮断器、配線遮断器及び制御ユニット等をまとめたものである。分電盤３０は、パワーコンディショナ２０及び商用電源９０に接続される。
分電盤３０には、後述する蓄電装置４０が充電、放電及び情報（データ）のやり取りを行うための充放電用コンセント群３１（より詳細には、充放電用コンセント群３１のうち後述する充電用コンセント３２及びＬＡＮ用コンセント３３のみ）が接続される。
【００２５】
充放電用コンセント群３１は、充電用コンセント３２、ＬＡＮ用コンセント３３及び放電用コンセント３４を具備する。
【００２６】
蓄電装置４０は、電力を充電するとともに、当該充電した電力を放電するものである。本実施形態に係る蓄電装置４０は、電力を充放電可能なリチウムイオン電池及び当該リチウムイオン電池からの直流電力を交流電力に変換するインバータ等を具備する。
蓄電装置４０は、停電時（非常時）における充電用のケーブル４１を介して非常用コンセント２１に接続される。
また、蓄電装置４０は、通常時における充電用のケーブル４２を介して充放電用コンセント群３１の充電用コンセント３２に、放電用のケーブル４３を介して充放電用コンセント群３１の放電用コンセント３４に、それぞれ接続される。
また、蓄電装置４０は、ＬＡＮケーブル４４を介して充放電用コンセント群３１のＬＡＮ用コンセント３３に接続される。
なお、蓄電装置４０は、充電又は放電する場合に、充電又は放電する効率の低下や寿命の低下を防止するために最適な温度帯（例えば、２０度から２５度の間）が設定されている。
【００２７】
負荷５０は、住宅内において電力が消費される電化製品等であり、特に、停電時（非常時）においても電力を供給する必要がある「特定の負荷」である。
本実施形態においては、負荷５０（特定の負荷）として、リビング１０９に設けられるリビングコンセント５１、冷蔵庫５２、及びリビング１０９に設けられるリビング照明５３を用いるものとする。また、リビングコンセント５１には、テレビ５１ａが接続されるものとする。
負荷５０は、それぞれ間接的に（本実施形態においては、充放電用コンセント群３１の放電用コンセント３４及び図示しない漏電遮断器等を介して）蓄電装置４０に接続される。
【００２８】
その他の負荷８０は、住宅内において電力が消費される電化製品等であり、前述の負荷５０（特定の負荷）とは異なり、停電時（非常時）においては電力を供給する必要がない（非常時に電力を供給する必要性が低い）負荷である。その他の負荷８０としては、例えば、リビング１０９以外に設けられるコンセントや照明や、リビング１０９の床下に設けられる除湿装置２１０等が挙げられる。
その他の負荷８０は、分電盤３０に接続される。
【００２９】
ホームサーバ６０は、電力供給システム１内の情報を管理する制御手段である。
ホームサーバ６０は、分電盤３０に接続される。ホームサーバ６０は、パワーコンディショナ２０及び蓄電装置４０等と情報のやり取りが可能とされ、当該パワーコンディショナ２０及び蓄電装置４０等の運転を制御することができる。
【００３０】
携帯型端末７０は、住宅の居住者が電力供給システム１の状態を確認したり、当該電力供給システム１の運転状態を変更するための操作をしたりするためのものである。携帯型端末７０としては、表示装置と入力装置を組み合わせたタッチパネル等を用いることができる。
携帯型端末７０は、無線によりホームサーバ６０と情報のやり取りをすることができる。
【００３１】
次に、図２を用いて、上述の如く構成された電力供給システム１において、商用電源９０からの電力が問題なく供給される場合の電力の供給態様について説明する。
【００３２】
通常、すなわち商用電源９０からの電力が問題なく供給可能な場合、パワーコンディショナ２０の運転切換スイッチ２０ａは居住者によってＯＦＦに切り換えられている。この場合、パワーコンディショナ２０の自立運転モードはＯＦＦとされ、当該パワーコンディショナ２０の非常用コンセント２１からの電力の取り出しはできない。
【００３３】
この状態においては、発電部１０において発電された直流電力は、パワーコンディショナ２０において交流電力に変換され、分電盤３０に供給される。また、商用電源９０からの交流電力も分電盤３０に供給される。
【００３４】
当該発電部１０及び商用電源９０から分電盤３０に供給された電力は、適宜の時間帯にケーブル４２を介して蓄電装置４０に充電される。当該充電する時間帯は、携帯型端末７０を用いて任意に設定することができる。例えば深夜に充電するように設定すれば、料金の安い深夜電力を蓄電装置４０に充電することができる。また、昼間の太陽光が十分に照射される時間帯に発電部１０からの電力を充電するように設定すれば、当該発電部１０において自然エネルギー（太陽光）を利用して発電された電力を蓄電装置４０に充電することができる。
なお、この場合（通常時）においては、発電部１０及び商用電源９０からの電力を蓄電装置４０に充電する際、同時に当該蓄電装置４０からその他の負荷８０へと電力が供給（放電）されることはない。このように、充電と放電とを同時に行わないようにすることによって、蓄電装置４０（より詳細には、当該蓄電装置４０内の蓄電池（リチウムイオン電池））の劣化を防止することができる。
【００３５】
また、発電部１０及び商用電源９０から分電盤３０に供給された電力は、その他の負荷８０に供給される。すなわち、居住者は、発電部１０及び商用電源９０からの電力によって、リビング１０９以外に設けられるコンセントに接続された機器を利用したり、リビング１０９以外の照明等を点灯させたりすることができる。
【００３６】
また、その他の負荷８０で消費する電力が、発電部１０からの電力だけで十分まかなえる場合は、商用電源９０からの電力を用いないようにすることも可能である。これによって、電力料金を節約することができる。
【００３７】
さらに、蓄電装置４０に充電された電力を、ケーブル４３を介して負荷５０に供給することも可能である。当該蓄電装置４０から負荷５０に電力を供給する時間帯は、携帯型端末７０を用いて任意に設定することができる。例えば深夜に充電した電力を昼間に負荷５０に供給するように設定することで、電力料金を節約することができる。
なお、通常時においては、蓄電装置４０から負荷５０に電力を供給（放電）する際、同時に発電部１０及び商用電源９０からの電力が蓄電装置４０に充電されることはない。このように、充電と放電とを同時に行わないようにすることによって、蓄電装置４０（より詳細には、当該蓄電装置４０内の蓄電池（リチウムイオン電池））の劣化を防止することができる。
【００３８】
上述の如く発電部１０、商用電源９０及び蓄電装置４０からの電力を適宜負荷５０及びその他の負荷８０に供給するための制御は、ホームサーバ６０に記憶された制御プログラムに基づいてなされる。
また、上述の如き電力の供給状態は携帯型端末７０の表示装置に表示され、居住者は当該携帯型端末７０により電力の供給状態を確認することができる。
【００３９】
次に、停電時（商用電源９０からの電力が供給不能な場合）における電力の供給態様について説明する。
【００４０】
停電時（非常時）においては、電力会社の電力復旧作業を妨げないように、商用電源９０から分電盤３０への電力系統及びパワーコンディショナ２０から分電盤３０への電力系統（分電盤３０を介する電力系統）に電力が流されることがない。従って、発電部１０および商用電源９０からの電力が分電盤３０を介して蓄電装置４０に充電されることはない。一方、蓄電装置４０に充電されている電力は、ケーブル４３を介して負荷５０に供給（放電）することが可能である。すなわち、停電した場合であっても、負荷５０のスイッチがＯＮにされた場合、蓄電装置４０に充電された電力を用いて負荷５０（テレビ５１ａ等）を使用することが可能である。
【００４１】
また、この停電時（非常時）においては、居住者は、パワーコンディショナ２０の運転切換スイッチ２０ａをＯＮに切り換える。これによって、パワーコンディショナ２０の自立運転モードがＯＮとされ、当該パワーコンディショナ２０の非常用コンセント２１からの電力の取り出しが可能となる。
但し、運転切換スイッチ２０ａは、分電盤３０において停電であることが検知された情報をパワーコンディショナ２０に送信し、自動的にＯＮに切り換えられるように構成することも可能である。
【００４２】
この状態においては、発電部１０において発電された電力は、パワーコンディショナ２０、非常用コンセント２１及びケーブル４１を介して蓄電装置４０に充電される。
【００４３】
また、蓄電装置４０が充電中であっても、負荷５０のスイッチがＯＮにされた場合、蓄電装置４０に充電された電力（通常時においてあらかじめ充電されていた電力及び非常時において発電部１０から供給された電力）は、ケーブル４３を介して負荷５０に供給される。なお、停電時において電力を供給するのは必要最低限の負荷（負荷５０）のみであり、その他の負荷８０には電力は供給されない。
【００４４】
上述の如く、停電時においては、発電部１０からの電力を蓄電装置４０に充電しながら、同時に当該蓄電装置４０の電力を負荷５０に供給することができる。このように、蓄電装置４０の電力を放電するだけでなく、並行して充電も行うことで、あらかじめ蓄電装置４０に充電された電力及び発電部１０において新たに発電された電力を効率良く負荷５０へ供給することができる。また、このように蓄電装置４０の充電と放電とを同時に行うことで当該蓄電装置４０（より詳細には、当該蓄電装置４０内の蓄電池（リチウムイオン電池））の劣化が懸念されるが、充電と放電とを同時に行うのは停電時（非常時）のみであるため、当該蓄電装置４０の劣化を最小限に抑えつつ、非常時には電力を効率良く負荷５０へと供給することができる。
【００４５】
次に、図３から図６を用いて、本発明の第一実施形態に係る蓄電装置温度調節システム２００の構成について、詳細に説明する。
【００４６】
蓄電装置温度調節システム２００は、除湿装置２１０により除湿された除湿水を用いて蓄電装置４０の温度を調節するシステムである。蓄電装置温度調節システム２００は、図３に示すように、蓄電装置４０の他に、主として除湿装置２１０と、除湿水循環装置２２０と、タンク２７０と、制御装置２８０等を具備する。
【００４７】
除湿装置２１０は、空気中の水分を除湿可能に構成される。より詳細には、除湿装置２１０は、熱交換が行われるものであって、当該熱交換が行われる際に結露によって水（結露水）が生成される。除湿装置２１０は、床下結露を防止するものであり、リビング１０９の床下に配置される（図５及び図６参照）。除湿装置２１０により除湿された除湿水（結露水）は、当該除湿装置２１０の本体内に設けられたタンク（不図示）に貯水される。
【００４８】
除湿水循環装置２２０は、その駆動によって除湿装置２１０により除湿された除湿水を所定経路で循環させるものである。除湿水循環装置２２０は、主としてポンプ２３０と、除湿水配管２４０と、第一流路切替弁２５０と、第二流路切替弁２６０等を具備する。
【００４９】
ポンプ２３０は、前記除湿装置２１０の本体内のタンクに貯水された除湿水を、除湿水配管２４０に供給するものである。ポンプ２３０は、前記除湿装置２１０の本体内のタンクと連通接続される。ポンプ２３０は、前記除湿装置２１０の本体内のタンクに貯水された除湿水を、当該ポンプ２３０の駆動により除湿水配管２４０に供給することができる。
【００５０】
除湿水配管２４０は、ポンプ２３０により供給された除湿水を所定経路で循環させるものである。除湿水配管２４０の上流側端部は、ポンプ２３０に連通接続される。除湿水配管２４０の下流側端部は、ポンプ２３０から延設され、蓄電装置４０を経由し、タンク２７０に連通接続される。また、除湿水配管２４０は、ポンプ２３０と蓄電装置４０との間に、当該除湿水配管２４０内を流れる除湿水の流路を変更可能に構成される流路切替部２４１が設けられる。
なお、以下では、除湿水配管２４０におけるポンプ２３０と蓄電装置４０との間の配管を、「第一配管２４２」と称する。
【００５１】
図３及び図４に示すように、流路切替部２４１では、第一配管２４２に、第二配管２４３が連通接続される。より詳細には、第二配管２４３の上流側端部が、第一配管２４２に連通接続される。また、第二配管２４３の下流側端部が、当該第二配管２４３の上流側端部と第一配管２４２との連通接続部（以下では、「第一連通接続部２４４」と称する。）から延設され、冷蔵庫５２（より詳細には、後述する排熱部分）を経由し、再び第一配管２４２に連通接続される。なお、以下では、第二配管２４３の下流側端部と第一配管２４２との連通接続部を、「第二連通接続部２４５」と称する。第一配管２４２において、第二連通接続部２４５は、第一連通接続部２４４よりも下流側に配置される。
【００５２】
第一流路切替弁２５０は、第一連通接続部２４４に配置される。第一流路切替弁２５０は、弁体を可動させ、第一連通接続部２４４において、第一配管２４２を閉塞状態とし第二配管２４３を開放状態とする第一状態（図４（ａ）参照）と、第一配管２４２を開放状態とし第二配管２４３を閉塞状態とする第二状態（図４（ｂ）参照）とを、切替可能に構成される。
【００５３】
第二流路切替弁２６０は、第二連通接続部２４５に配置される。第二流路切替弁２６０は、弁体を可動させ、第二連通接続部２４５において、第一配管２４２を閉塞状態とし第二配管２４３を開放状態とする第一状態（図４（ａ）参照）と、第一配管２４２を開放状態とし第二配管２４３を閉塞状態とする第二状態（図４（ｂ）参照）とを、切替可能に構成される。
【００５４】
このような流路切替部２４１の構成によって、図４（ａ）の白抜矢印にて示すように、第一流路切替弁２５０及び第二流路切替弁２６０が第一状態とされると、ポンプ２３０により第一配管２４２に供給された除湿水は、流路切替部２４１において流路が変更され、当該第一配管２４２から第二配管２４３に供給されることとなる。また、第二配管２４３に供給された除湿水は、冷蔵庫５２を経由した後に再び第一配管２４２に供給され、当該第一配管２４２を流れることとなる。
【００５５】
また、図４（ｂ）の白抜矢印にて示すように、第一流路切替弁２５０及び第二流路切替弁２６０が第二状態とされると、ポンプ２３０により第一配管２４２に供給された除湿水は、流路切替部２４１において流路が変更されず、当該第一配管２４２をそのまま（冷蔵庫５２を経由せずに）流れることとなる。
【００５６】
また、図５及び図６に示すように、除湿水配管２４０には、第一循環部２４６と、第二循環部２４７と、が設けられる。
なお、図５は、冬場における蓄電装置温度調節システムの概略を示している。また、図６は、夏場における蓄電装置温度調節システムの概略を示している。ここで、図５及び図６では、説明の便宜上、流路切替部２４１等の一部の構成の図示を省略している。
【００５７】
第一循環部２４６は、リビング１０９において冷蔵庫５２を循環する。より詳細には、第一循環部２４６は、冷蔵庫５２の排熱部分を取り囲むように配置され、冷蔵庫５２の排熱を補熱するように形成される。これによって、冷蔵庫５２の排熱と第一循環部２４６内の除湿水との間で熱交換が行われ、第一循環部２４６内の除湿水は冷蔵庫５２の排熱により温度が上昇するように形成される。
【００５８】
第二循環部２４７は、蓄電装置収納室１１０において蓄電装置４０を循環する。より詳細には、第二循環部２４７は、蓄電装置４０の周囲を取り囲むように配置される。これによって、蓄電装置４０と第二循環部２４７内の除湿水との間で熱交換が行われるように形成される。そして、第二循環部２４７内の除湿水の温度が蓄電装置４０の温度よりも高い場合には、当該除湿水により当該蓄電装置４０の温度が上昇するように形成される。一方、第二循環部２４７内の除湿水の温度が蓄電装置４０の温度よりも低い場合には、当該除湿水により当該蓄電装置４０の温度が下降するように形成される。
【００５９】
タンク２７０は、除湿水循環装置２２０により循環された除湿水を貯水するものである。タンク２７０は、除湿水循環装置２２０により循環された除湿水を貯水可能に構成される。タンク２７０は、除湿水配管２４０の下流側端部が連通接続される。
なお、タンク２７０は、配管３４１を介してトイレ１０４と連通接続される。また、タンク２７０は、配管３４２を介して庭の散水設備等（不図示）に連通接続される。
【００６０】
制御装置２８０は、種々の情報に基づいて除湿水循環装置２２０の駆動や、蓄電装置４０の充放電等を制御（設定）するものである。制御装置２８０は、ＲＡＭやＲＯＭ等の記憶部や、ＣＰＵ等の演算処理部等により構成される。
制御装置２８０は、除湿水循環装置２２０のポンプ２３０に接続される。制御装置２８０は、ポンプ２３０の駆動を制御することができる。
制御装置２８０は、第一流路切替弁２５０及び第二流路切替弁２６０に接続される。制御装置２８０は、第一流路切替弁２５０及び第二流路切替弁２６０の弁体を可動させ、第一状態と第二状態との切り替えを制御することができる。
制御装置２８０は、蓄電装置４０に接続される。制御装置２８０は、蓄電装置４０の充放電を制御することができる。制御装置２８０は、蓄電装置４０が充放電しているか否か等の当該蓄電装置４０に関する情報を取得することができる。
なお、制御装置２８０は、電力供給システム１が具備するホームサーバ６０（図２参照）により兼用することもできる。
【００６１】
以下では、図３から図６を用いて、ポンプ２３０により供給された除湿水が循環することとなる経路（所定経路）について詳細に説明する。
本実施形態では、前記所定経路として、第一循環経路２９１と、第二循環経路２９２との、２つ（複数）の経路が設けられる。
【００６２】
第一循環経路２９１は、図５に示すように、比較的外気の温度が低い冬場に、除湿水を循環させる経路である。より詳細には、第一循環経路２９１は、第一流路切替弁２５０及び第二流路切替弁２６０が第一状態とされることにより（図４（ａ）参照）、ポンプ２３０（床下）からリビング１０９と、蓄電装置収納室１１０と、を循環し、タンク２７０に到達するように形成される。なお、第一循環経路２９１は、リビング１０９にて、第一循環部２４６により冷蔵庫５２を循環する。また、第一循環経路２９１は、蓄電装置収納室１１０にて、第二循環部２４７により蓄電装置４０を循環する。
【００６３】
第二循環経路２９２は、図６に示すように、比較的外気の温度が高い夏場に、除湿水を循環させる経路である。より詳細には、第二循環経路２９２は、第一流路切替弁２５０及び第二流路切替弁２６０が第二状態とされることにより（図４（ｂ）参照）、ポンプ２３０（床下）から（リビング１０９を循環せずに）蓄電装置収納室１１０を循環し、タンク２７０に到達するように形成される。なお、第二循環経路２９２は、蓄電装置収納室１１０にて、第二循環部２４７により蓄電装置４０を循環する。
【００６４】
このように、第一循環経路２９１及び第二循環経路２９２は、それぞれ第二循環部２４７を有して蓄電装置４０を循環する。また、第一循環経路２９１は第一循環部２４６を有して冷蔵庫５２を循環するが、第二循環経路２９２は第一循環部２４６を有しておらず冷蔵庫５２を循環しない。
【００６５】
このような蓄電装置温度調節システム２００の構成によって、除湿装置２１０により除湿された除湿水を用いて蓄電装置４０の温度調節を効率良く行うことができる。
より詳細には、比較的外気の温度が低い冬場に除湿水を循環させる経路として第一循環経路２９１が選択されるように制御装置２８０を予め設定しておけば、ポンプ２３０により除湿水配管２４０に供給された除湿水は、第一循環部２４６にて冷蔵庫５２の排熱により温度が上昇される。そして、第二循環部２４７にて除湿水の温度が蓄電装置４０の温度よりも高い場合には、当該除湿水により当該蓄電装置４０の温度が上昇される。すなわち、蓄電装置４０の温度が最適な温度帯よりも低い場合であっても、除湿水により当該蓄電装置４０の温度を最適な温度帯に近づけて、蓄電装置４０の充電又は放電する効率の低下や寿命の低下の防止を図ることができる。
【００６６】
なお、除湿装置２１０は、本発明に係る「結露水生成手段」の一実施形態である。すなわち、本発明に係る「結露水生成手段」は、図７及び図８に示すように、例えばリビング１０９に設置されるようなエアコン３３０であっても良い。そして、冬場における蓄電装置温度調節システム２００においては、除湿装置２１０ではなく、エアコン３３０を使用することができる。すなわち、エアコン３３０の暖房を行うことにより当該エアコン３３０の室外機３３１には、結露によって水（結露水）が生成される。そして、冬場における蓄電装置温度調節システム２００においては、この結露水を用いて蓄電装置４０の温度調節を行うのである。このように、一般的に湿度の低い冬場には除湿装置２１０により除湿水が生成され難いが、エアコン３３０の結露水を用いることによって、蓄電装置４０の温度調節を効率良く行うことができる。
【００６７】
また、比較的外気の温度が高い夏場に除湿水を循環させる経路として第二循環経路２９２が選択されるように制御装置２８０を予め設定しておけば、ポンプ２３０により除湿水配管２４０に供給された除湿水は、（第一循環部２４６を流れずに）第二循環部２４７に流れる。そして、第二循環部２４７にて除湿水の温度が蓄電装置４０の温度よりも低い場合には、当該除湿水により当該蓄電装置４０の温度が下降される。すなわち、蓄電装置４０の温度が最適な温度帯よりも高い場合であっても、除湿水により当該蓄電装置４０の温度を最適な温度帯に近づけて、蓄電装置４０の充電又は放電する効率の低下や寿命の低下の防止を図ることができる。
【００６８】
また、蓄電装置温度調節システム２００では、第一循環経路２９１と第二循環経路２９２とを相互に切り替え可能に構成される。すなわち、同一のシステムを用いて、比較的外気の温度が低い冬場の場合と、比較的外気の温度が高い夏場の場合とで、除湿水を用いて蓄電装置４０の温度を最適な温度帯に近づけることができる。つまり、比較的外気の温度が低い冬場の場合と、比較的外気の温度が高い夏場の場合とで、除湿水を用いて蓄電装置４０の温度を最適な温度帯に近づけるために別々のシステムを設ける必要が無いため、コストの増加を防止することができる。
【００６９】
また、蓄電装置温度調節システム２００では、除湿装置２１０により除湿された除湿水を利用するものであり、蓄電装置４０の温度を上昇又は下降させるため専用の水を用意する必要が無く、水道料金の増加を防止することができる。また、蓄電装置４０の温度を上昇又は下降させた後の除湿水は、タンク２７０に貯水されるので、例えばトイレ１０４や庭の散水や下水等に利用することにより、水道料金の削減を図ることができる。
【００７０】
また、蓄電装置温度調節システム２００では、蓄電装置４０の設置場所を、当該蓄電装置４０の温度調節のために特定場所（例えば、住宅１００の床下等）に限定するものではない。すなわち、蓄電装置４０の設置場所を特定場所に限定する必要がないため、当該蓄電装置４０のメンテナンス性の低下を防止することができる。
【００７１】
次に、図９を用いて、本発明の第二実施形態に係る蓄電装置温度調節システム３００の構成について、詳細に説明する。
なお、本発明の第一実施形態に係る蓄電装置温度調節システム２００と同一の構成の箇所については、その説明を省略する。
【００７２】
蓄電装置温度調節システム３００は、図９に示すように、蓄電装置４０の他に、主として除湿装置２１０と、除湿水循環装置２２０と、タンク２７０と、制御装置２８０と、蓄電装置温度センサ３１０等を具備する。
【００７３】
蓄電装置温度センサ３１０は、蓄電装置４０の温度を検出するものである。
【００７４】
制御装置２８０は、蓄電装置温度センサ３１０に接続される。制御装置２８０は、蓄電装置４０の温度に関する情報を取得することができる。
【００７５】
ここで、上述の如く、商用電源９０の深夜電力は、日中の電力（深夜電力のような割安な料金設定の適用がない電力）よりも料金が安く設定されている。したがって、蓄電装置４０は、深夜帯（深夜電力の料金設定が適用される時間帯）に充電を行うように制御装置２８０によって制御（設定）される。そして、蓄電装置４０は、深夜帯以外にて放電を行うように制御装置２８０によって制御（設定）される。
【００７６】
そして、制御装置２８０は、蓄電装置４０が充電又は放電を開始する予め設定された時間（又は、予め設定された時間よりも所定時間前）になると、蓄電装置４０の温度に関する情報を取得する。そして、制御装置２８０は、蓄電装置４０の温度が、最適な温度帯よりも低い場合には、除湿水循環装置２２０を駆動させると共に、除湿水を循環させる所定経路として第一循環経路２９１を選択する。そして、制御装置２８０は、蓄電装置４０の温度が上昇して最適な温度帯に到達した場合や所定時間が経過した場合等、予め設定された除湿水循環装置２２０の駆動を停止させるための所定の条件が満たされた場合に、当該除湿水循環装置２２０の駆動を停止させる。
【００７７】
また、蓄電装置４０は、充電及び放電するときに温度が上昇するものである。
【００７８】
そして、制御装置２８０は、蓄電装置４０が充電及び放電が開始されると、蓄電装置４０の温度に関する情報を取得する。そして、制御装置２８０は、蓄電装置４０の温度が、最適な温度帯よりも高い場合には、除湿水循環装置２２０を駆動させると共に、除湿水を循環させる所定経路として第二循環経路２９２を選択する。そして、制御装置２８０は、蓄電装置４０の温度が下降して最適な温度帯に到達した場合や所定時間が経過した場合等、予め設定された除湿水循環装置２２０の駆動を停止させるための所定の条件が満たされた場合に、当該除湿水循環装置２２０の駆動を停止させる。
【００７９】
このような蓄電装置温度調節システム３００の構成によって、除湿装置２１０により除湿された除湿水を用いて蓄電装置４０の温度調節を効率良く行うことができる。
より詳細には、蓄電装置４０の温度に応じて、除湿水が循環する所定経路を選択して当該蓄電装置４０の温度を最適な温度帯に近づけることができる。
【００８０】
以上のように、
本発明の一実施形態に係る蓄電装置温度調節システム２００は、
建築物（住宅１００）で利用される電力を充放電可能な蓄電装置４０と、
前記建築物内にて結露水（除湿水）を生成する結露水生成手段（除湿装置２１０）と、
前記結露水生成手段により生成された結露水を所定経路で循環させる結露水循環装置（除湿水循環装置２２０）と、を設けて、
前記結露水循環装置は、
前記結露水生成手段により生成された結露水を、前記所定経路として前記建築物内に設置された所定機器（冷蔵庫５２）に循環させ、前記所定機器の排熱により前記結露水の温度を上昇させて、
前記温度が高められた結露水を、前記所定経路として前記蓄電装置に循環させ、前記温度が高められた結露水により前記蓄電装置の温度を上昇させるものである。
【００８１】
また、蓄電装置温度調節システム２００は、
建築物（住宅１００）で利用される電力を充放電可能な蓄電装置４０と、
前記建築物内にて結露水（除湿水）を生成する結露水生成手段（除湿装置２１０）と、
前記結露水生成手段により生成された結露水を所定経路で循環させる結露水循環装置（除湿水循環装置２２０）と、を設けて、
前記結露水循環装置は、
前記結露水生成手段により生成された結露水を、前記所定経路として前記蓄電装置に循環させ、前記結露水により前記蓄電装置の温度を下降させるものである。
【００８２】
また、蓄電装置温度調節システム２００は、
建築物（住宅１００）で利用される電力を充放電可能な蓄電装置４０と、
前記建築物内にて結露水（除湿水）を生成する結露水生成手段（除湿装置２１０）と、
前記結露水生成手段により生成された結露水を複数の所定経路のうち１つの所定経路で循環させる結露水循環装置（除湿水循環装置２２０）と、
予め設定された条件に応じて前記複数の所定経路から１つの所定経路を選択する経路選択手段（制御装置２８０）と、を設けて、
前記結露水循環装置は、
前記経路選択手段により前記複数の所定経路から選択された１つの所定経路が第一所定経路（第一循環経路２９１）である場合に、
前記結露水生成手段により生成された結露水を、前記第一所定経路として前記建築物内に設置された所定機器（冷蔵庫５２）に循環させ、前記所定機器の排熱により前記結露水の温度を上昇させて、
前記温度が高められた結露水を、前記第一所定経路として前記蓄電装置に循環させ、前記温度が高められた結露水により前記蓄電装置の温度を上昇させ、
前記結露水循環装置は、
前記経路選択手段により前記複数の所定経路から選択された１つの所定経路が第二所定経路（第二循環経路２９２）である場合に、
前記結露水生成手段により生成された結露水を、前記第二所定経路として前記蓄電装置に循環させ、前記結露水により前記蓄電装置の温度を下降させるものである。
【００８３】
また、蓄電装置温度調節システム２００は、
前記除湿水循環装置により循環された除湿水を貯水可能な貯水部（タンク２７０）を設けるものである。
【００８４】
以上のような構成により、蓄電装置温度調節システム２００は、蓄電装置４０の温度調節を効率良く行うことができ、且つ蓄電装置４０の設置場所を特定場所（例えば、住宅１００の床下）に限定せず、当該蓄電装置４０のメンテナンス性の低下を防止することができる。
【００８５】
なお、除湿装置２１０は、本発明に係る「結露水生成手段」の一実施形態であり、これに限定されるものではない。すなわち、本発明に係る「結露水生成手段」は、住宅１００内にて結露水を生成するものであり、より詳細には熱交換が行われるものであって、当該熱交換が行われる際に結露によって水が生成されるものであれば良い。例えば、本発明に係る「結露水生成手段」は、上述のようにエアコン３３０等であっても良い。
また、「除湿装置２１０により除湿された除湿水」は、本発明に係る「前記結露水生成手段により生成された結露水」の一実施形態である。本発明に係る「前記結露水生成手段により生成された結露水」は、例えばエアコン３３０からの排水（室外機３３１にて生成された結露水）等であっても良い。
なお、本発明に係る「蓄電装置温度調節システム」においては、本発明に係る「結露水生成手段」として、除湿装置２１０とエアコン３３０（あるいは、その他のもの）とを選択的に、又は全てを使用して、蓄電装置４０の温度調節を行う構成とすることもできる。このような構成により、例えば夏場と冬場とのような季節の条件等の処々の条件に応じて、最適な結露水生成手段を選択し、蓄電装置４０の温度調節をより効率良く行うことができる。
【００８６】
また、冷蔵庫５２の排熱は、本発明に係る「所定機器の排熱」の一実施形態であり、これに限定されるものではない。例えば、本発明に係る所定機器の排熱は、食器洗浄乾燥機（不図示）の洗浄用温水や乾燥時の排熱であっても良く、またこれら（冷蔵庫５２の排熱や食器洗浄乾燥機の排熱）の組み合わせであっても良い。
また、第一循環経路２９１及び第二循環経路２９２は、本発明に係る「所定経路」の一実施形態であり、これに限定されるものではない。
また、制御装置２８０は、本発明に係る「経路選択手段」の一実施形態であり、これに限定されるものではない。例えば、本発明に係る経路選択手段は、冬場又は夏場であるか否か等の季節に応じて所定経路を選択するものでなくても、除湿水の温度や冷蔵庫５２の排熱の温度等、種々の条件に応じて所定経路を選択するものであっても良い。
【符号の説明】
【００８７】
４０      蓄電装置
５２      冷蔵庫
１００    住宅
２００    蓄電装置温度調節システム
２１０    除湿装置
２２０    除湿水循環装置
２７０    タンク
２８０    制御装置
２９１    第一循環経路
２９２    第二循環経路
【図１】
2013251120.tif 000003
【図２】
2013251120.tif 000004
【図３】
2013251120.tif 000005
【図４】
2013251120.tif 000006
【図５】
2013251120.tif 000007
【図６】
2013251120.tif 000008
【図７】
2013251120.tif 000009
【図８】
2013251120.tif 000010
【図９】
2013251120.tif 000011